(57)【要約】      （修正有）【課題】建設物の破壊工事が伴うような特に大きな騒音が発生する建設現場での使用にも充分に対処することができ、重量も増加せず、しかも製造コストの低減が図られる防音パネルを提供する。【解決手段】防音パネルは、ハニカム状パネル３の多数のセル内に、パネル状のフェノールフォーム４を、その一部分が露出するようにして埋設すると共に、フェノールフォームの上下にかけて露出部分４ａに、幅方向に延びる複数条の横溝５が平行に配設された本体パネル１に、カバー２を被せて構成されている。【選択図】図３
0003219778.tif 000002
【実用新案登録請求の範囲】
【請求項１】
ハニカム状パネル（３）の多数のセル（３ａ）内に、パネル状のフェノールフォーム（４）を、その一部分が露出するようにして埋設されると共に、前記フェノールフォーム（４）の上下にかけて露出部分（４ａ）に、幅方向に延びる複数条の横溝（５）が平行に配設された本体パネル（１）に、カバー（２）を被せたことを特徴とする防音パネル。
【請求項２】
前記横溝（５）が断面略Ｖ字形状に形成されていることを特徴とする請求項１に記載の防音パネル。
【請求項３】
前記横溝（５）が等間隔で配設されていることを特徴とする請求項１または２に記載の防音パネル。
【請求項４】
前記カバー（２）を袋状の合成樹脂製カバーとし、開口部（２ａ）から本体パネル（１）を差し込んで、その袋内に収納し、開口部（２ａ）を封鎖したことを特徴とする請求項１〜３の何れかに記載の防音パネル。
【請求項５】
前記カバー（２）と本体パネル（１）との間に空隙が生じるようにしたことを特徴とする請求項１〜４の何れかに記載の防音パネル。
【考案の詳細な説明】
【技術分野】
【０００１】
この考案は、建設現場や資材置場等で使用される仮囲い板などに装着される防音パネルに関するものである。
【背景技術】
【０００２】
従来、建設現場や資材置場では、基礎工事期間中や資材の積み降ろし作業時等に騒音が発生し、この騒音が建設現場や資材置場を包囲する仮囲い板の外に洩れ付近住民や通行人に迷惑をかけるばかりでなく、建設現場や資材置場内でも騒音が仮囲い板に反射し作業者に不快感を与えていた。
【０００３】
このような騒音に対処するための仮囲い板として、例えば図９、１０に示したように、板本体３１の裏面に、軟質塩化ビニルシートよりなる防音材Ｓを設けたものが存在する。この仮囲い板は、板本体３１の両側端を折り曲げて側面体３２を形成し、側面体３２の上部、中央部、下部の適宜位置に複数個の通し孔３３を設けると共に、さらに側面体３２を折り曲げて折曲部３４を形成したものとしている（特許文献１）。
【０００４】
このように構成された従来の仮囲い板は、建設現場や資材置場内で発生した騒音を、板本体３１の裏面に設けた軟質塩化ビニルシートよりなる防音材Ｓにより極力遮音できるので、建設現場や資材置場を包囲する仮囲い板の外に騒音が漏れにくくなり、付近住民や通行人にかける迷惑を極力低減することができるとしている。
【０００５】
しかし、上記従来の仮囲い板は、軟質塩化ビニルシートよりなる防音材Ｓの厚さが１〜２ｍｍ程度であるため防音効果が不充分で、建設物の破壊工事が伴うような特に大きな騒音が発生する建設現場での使用には充分に対処することができないという課題を有していた。
【０００６】
そこで、このような課題を解決するため、図１１〜１４に示したような、ハニカム状パネル４３の一面を、パネル状のフェノールフォーム４４の一面に押し付け、このフェノールフォーム４４の少なくとも一部が前記ハニカム状パネル４３の多数のセル４３ａ内に入り込んで埋設されるようにした本体パネル４１を、袋状の合成樹脂カバー４２の開口部４２ａから差し込んで、その袋状の合成樹脂カバー４２内に収納した防音パネルが提案されている（特許文献２）。
【０００７】
前記防音パネルでは、パネル状のフェノールフォーム４４を用いているが、このフェノールフォーム４４は、非常に脆いため、運搬するときや仮囲い板などに装着するときに、本体パネル４１が曲がったり（反ったり）すると、ハニカム状パネル４３のセル４３ａ内からの露出部分４４ａが割れたり、ヒビが入ったりしてしまう。さらに、この本体パネル４１の曲がり（反り）が繰り返し行なわれると、フェノールフォーム４４は、最後には崩れてしまい、ハニカム状パネル４３の多数のセル４３ａ内から脱落してしまうこともある。
【０００８】
そのため、前記防音パネルは、ハニカム状パネル４３の両側枠部４３ｂに金属製の補強枠４５を取り付けたものとして、本体パネル４１が曲がったり（反ったり）しないようにしていた。
【０００９】
さらに、前記防音パネルは、図１４に示したように、前記補強枠４５を長尺状のアルミ合金製の平板とし、ハニカム状パネル４３の両側枠部４３ｂに適宜間隔をおいて前後交互に形成されたカギ状の係止片４６の間に係止させることにより、ハニカム状パネル４３の両側枠部４３ｂから補強枠４５が脱落しないようにしていた。
【先行技術文献】
【特許文献】
【００１０】
【特許文献１】特許第３３８５４２８号公報
【特許文献２】特開２０１６−１０８７６４号公報
【考案の概要】
【考案が解決しようとする課題】
【００１１】
しかしながら、上記提案された防音パネルは、ハニカム状パネル４３の両側枠部４３ｂに補強枠４５を取り付けなければならず、この補強枠４５を取り付けることよって、重量が増加したり、製造コストが高くなるという課題を有していた。
【００１２】
さらに、前記防音パネルは、補強枠４５を取り付けるために、ハニカム状パネル４３の両側枠部４３ｂにカギ状の係止片４６を形成しなければならないので、製造に手間がかかると共に、袋状の合成樹脂カバー４２の開口部４２ａから本体パネル４１を差し込んで、その合成樹脂カバー４２内に収納しようとするときに、カギ状の係止片４６が開口部４２ａなどに引っかかってしまい、合成樹脂カバー４２内への収納作業に手間取り、さらなる製造コストの増加が懸念されるという課題を有していた。
【００１３】
そこで、この考案は、上記従来の課題を解決することを目的としており、建設物の破壊工事が伴うような特に大きな騒音が発生する建設現場での使用にも充分に対処することができ、重量も増加せず、しかも製造コストの低減が図られる防音パネルを提供することを目的としてなされたものである。
【課題を解決するための手段】
【００１４】
そのため、この考案の防音パネルは、ハニカム状パネル３の多数のセル３ａ内に、パネル状のフェノールフォーム４を、その一部分が露出するようにして埋設されると共に、前記フェノールフォーム４の上下にかけて露出部分４ａに、幅方向に延びる複数条の横溝５が平行に配設された本体パネル１に、カバー２を被せたものとしている。
【００１５】
この考案の防音パネルにおいて、前記横溝５が断面略Ｖ字形状に形成されたものとしている。
【００１６】
この考案の防音パネルにおいて、前記横溝５が等間隔で配設されたものとしている。
【００１７】
この考案の防音パネルにおいて、前記カバー２を袋状の合成樹脂製カバーとし、開口部２ａから本体パネル１を差し込んで、その袋内に収納し、開口部２ａを封鎖したものとしている。
【００１８】
この考案の防音パネルにおいて、前記カバー２と本体パネル１との間に空隙が生じるようにしたものとしている。
【考案の効果】
【００１９】
この考案の防音パネルは、以上に述べたような構成としているので、建設現場や資材置場等で使用される仮囲い板などに装着して使用すれば、充分な防音効果が発揮され、建設物の破壊工事が伴うような特に大きな騒音が発生する建設現場での使用にも充分に対処することができるものとなった。
【００２０】
さらに、この考案の防音パネルは、補強枠が不要となったので、軽量化が図られ、しかもハニカム状パネルの構造が複雑なものにならないので、製造コストの低減が図られるものとなった。
【００２１】
また、この考案の防音パネルは、運搬するときや仮囲い板などに装着するときに、曲がったり（反ったり）しても、パネル状のフェノールフォームには、割れたり、ヒビが入ったりすることなく、ハニカム状パネルの多数のセル内からも脱落してしまうようなこともなくなった。
【図面の簡単な説明】
【００２２】
【図１】この考案の防音パネルを表面側から見た斜視図である。
【図２】この考案の防音パネルを裏面側から見た斜視図である。
【図３】この考案の防音パネルの本体パネルからカバーを外した状態を示す斜視図である。
【図４】図３中のＡ−Ａ線によるこの考案の防音パネルの本体パネルの拡大断面図である。
【図５】この考案の防音パネルの本体パネルの分解斜視図である。
【図６】この考案の防音パネルのハニカム状パネルにフェノールフォームを埋設する工程を示す説明図である。
【図７】この考案の防音パネルの本体パネルを表面方向に曲がった（反った）状態を示す斜視図である。
【図８】この考案の防音パネルの本体パネルを裏面方向に曲がった（反った）状態を示す斜視図である。
【図９】従来の仮囲い板の一例の裏面側を示す斜視図である。
【図１０】図９中のＢ−Ｂ線による従来の仮囲い板の拡大断面図である。
【図１１】従来の防音パネルを裏面側から見た斜視図である。
【図１２】従来の防音パネルの本体パネルからカバーを外した状態を示す斜視図である。
【図１３】図１２中のＣ−Ｃ線による従来の防音パネルの本体パネルの拡大断面図である。
【図１４】従来の防音パネルの本体パネルの分解斜視図である。
【考案を実施するための形態】
【００２３】
以下、この考案の防音パネルを実施するための形態を、図面に基づいて詳細に説明する。
【００２４】
この考案の防音パネルは、図１、２に示したように、本体パネル１にカバー２を被せたものとしている。
【００２５】
本体パネル１は、ハニカム状パネル３の多数のセル３ａ内に、パネル状のフェノールフォーム４を、その一部分が露出するようにして埋設されると共に、前記フェノールフォーム４の上下にかけて露出部分４ａに、幅方向に延びる複数条の横溝５が平行に配設されたものとしている。本体パネル１の寸法は、特に限定されることはないが、図示したものでは、長さを９０〜１１０ｃｍ、幅を３８〜４４ｃｍ、厚さを０. ５〜１. ５ｃｍとしている。このような寸法にすると、二枚を一組とすれば、建設現場や資材置場等で使用される仮囲い板の全面を簡単に被うことができるものとなる。
【００２６】
前記横溝５は、断面略Ｖ字形状に形成されており、前記した本体パネル１の寸法のものでは、図示したように、深さを０. ２〜０. ７ｃｍとしたものが、等間隔で７条、平行に配設されている。なお、この横溝５は、略Ｖ字形状以外にも、略Ｕ字形状などとすることができ、また等間隔に限らず、任意の間隔で配設することもできる。
【００２７】
この考案において、本体パネル１を前記したよう構成するには、図６に示したように、ハニカム状パネル３の一面を、パネル状のフェノールフォーム４の一面に押し付けると共に、このフェノールフォーム４の他面を、横溝成形型６に押し付ける。すると、ハニカム状パネル３の多数のセル３ａ内に、フェノールフォーム４がその一部分が露出するようにして埋設される。そして、フェノールフォーム４の露出部分４ａに、横溝成形型６によって幅方向に延びる複数条の横溝５が平行に形成される。その後、この横溝成形型６をフェノールフォーム４の露出部分４ａから抜脱すればよい。
【００２８】
カバー２は、合成樹脂などで作製された防水性のカバーとしており、屋外で使用される場合に風雨等から本体パネル１を保護するようにしている。このカバー２は、図示したものでは、袋状の合成樹脂製カバーとしており、その開口部２ａから本体パネル１を差し込んで、その袋内に収納し、開口部２ａを封鎖したものとしている。このカバー２の寸法は、特に限定されることはないが、図示したように袋状の合成樹脂製カバーとした場合は、長さを１００〜１２０ｃｍ、幅を４２〜４８ｃｍとしており、前記本体パネル１を余裕を持って収納できるものとし、カバー２との間に空隙が生じるようにしている。この空隙を騒音が通過することによって、防音効果を高めることができる。
【００２９】
この考案においてハニカム状パネル３とは、ハニカム状構造を有するパネル、すなわち正六角柱に限らず、正四角柱や正三角柱などの立体形を隙間なく多数並べて、多数のセル３ａを形成したパネルのことである。このハニカム状パネル３は、図示したものでは、長尺状の平板とした上下枠部と両側枠部からなる縦長の長方形枠体３ｂ内に、平面形状を長方形とした四角柱からなるセル３ａを交互に多数並べたものとしている。このハニカム状パネル３の寸法は、図示したものでは、長さを９０〜１１０ｃｍ、幅を３８〜４４ｃｍ、厚さを０. ５〜１. ５ｃｍとしている。このような寸法にすると、後に述べるフェノールフォーム４の全面域をハニカム状パネル３のセル３ａ内に埋設することができる。
【００３０】
この考案においてフェノールフォーム４とは、フェノール樹脂を発泡硬化させて得られるもので、可塑性を有している。したがって、このフェノールフォーム４に前記パネル３を押し付けると、そのパネル３のセル３ａ内に入り込んで、フェノールフォーム４が埋設された状態となる。このフェノールフォーム４は、図示したものでは、厚みの７〜８割をパネル３のセル３ａ内に入り込むようにしている。このフェノールフォーム４の寸法は、図示したものでは、長さを９０〜１１０ｃｍ、幅を３５〜４１ｃｍ、厚さを１. ５〜２. ０ｃｍとしている。このフェノールフォーム４は、熱的、化学的に安定した性質を有し、吸音性、断熱性に優れていることが知られている。したがって、このような寸法にすれば、建設現場や資材置場等で使用される仮囲い板に使用した場合にも、充分な防音効果を発揮することができるものとなる。
【００３１】
以上のように構成したこの考案の防音パネルは、運搬するときや仮囲い板などに装着するときに、図７に示したように、本体パネル１が表面方向に曲がったり（反ったり）すると、それぞれの横溝５のＶ字形状が狭まり、この曲がったり（反ったり）する力がこれらの横溝５の狭まりで吸収されるものとなり、また図８に示したように、本体パネル１が裏面方向に曲がったり（反ったり）しても、それぞれの横溝５のＶ字形状が拡がり、この曲がったり（反ったり）する力がこれらの横溝５の拡がりで吸収されるものとなり、フェノールフォーム４の露出部分４ａが割れたり、ヒビが入ったりしてしまうようなことはない。
【００３２】
したがって、この考案の防音パネルは、先にも述べたように、建設現場や資材置場等で使用される仮囲い板などに装着して使用すれば、充分な防音効果が発揮され、建設物の破壊工事が伴うような特に大きな騒音が発生する建設現場での使用にも充分に対処することができるものとなった。
【００３３】
さらに、この考案の防音パネルは、補強枠が不要となったので、軽量化が図られ、しかもハニカム状パネルの構造が複雑なものにならないので、製造コストの低減が図られるものとなった。
【００３４】
また、この考案の防音パネルは、運搬するときや仮囲い板などに装着するときに、曲がったり（反ったり）しても、パネル状のフェノールフォームには、割れたり、ヒビが入ったりすることなく、ハニカム状パネルの多数のセル内からも脱落してしまうようなこともなくなった。
【符号の説明】
【００３５】
１  本体パネル
２  カバー
２ａ  開口部
３  ハニカム状パネル
３ａ  セル
４  フェノールフォーム
４ａ  露出部分
５  横溝
【図１】
0003219778.tif 000003
【図２】
0003219778.tif 000004
【図３】
0003219778.tif 000005
【図４】
0003219778.tif 000006
【図５】
0003219778.tif 000007
【図６】
0003219778.tif 000008
【図７】
0003219778.tif 000009
【図８】
0003219778.tif 000010
【図９】
0003219778.tif 000011
【図１０】
0003219778.tif 000012
【図１１】
0003219778.tif 000013
【図１２】
0003219778.tif 000014
【図１３】
0003219778.tif 000015
【図１４】
0003219778.tif 000016